Podtech/llm-jp-corpus-v4-ja_patent huggingface dataset:
(57)【要約】      （修正有）【課題】排便管理を必要とされる人の便の状態の把握を口頭の自己申告ではなく、普遍的な基準に基づいて的確に把握することができる排便を管理する装置を提供する。【解決手段】水洗用の便器の洗浄便座の内側の排便の状態がはっきり分かる場所にデジタルカメラ２を取り付けて便の状態を撮影し排便管理部門に、撮影画像を転送し、排便管理が必要な人の便の状態を便の撮影画像から把握する。【選択図】図２
0003210435.tif 000002
【実用新案登録請求の範囲】
【請求項１】
水洗用の便器の洗浄便座の内側において排便の状態がはっきり分かる場所にデジタルカメラを取り付けて便の状態を撮影し排便管理が必要な人の便の状態を前記便の撮影画像から把握することを特徴とする排便を管理する装置。
【考案の詳細な説明】
【技術分野】
【０００１】本考案は、水洗便所の便器に取り付けて排便の状態を撮影し、排便管理の必要な人の体の状態を画像から把握するデジタルカメラ及び画像の転送装置に関するものである。
【背景技術】
【０００２】介護の現場で排便の管理が必要な人へ便の状態の把握は、主に口頭での自己申告によっての把握が広く採用されている。
【考案の概要】
【考案が解決しようとする課題】
【０００３】口頭での自己申告では、人によって便の量や状態の基準が違うことや、認知機能に問題がある場合等、正確な便の量、状態を把握できないことが少なくない。
【課題を解決するための手段】
【０００４】本考案は、便器の洗浄便座の内側で、便の状態をはっきりと撮影できる場所にデジタルカメラを設置し、便を撮影し排便管理部門の下へ両像を転送する。
【考案の効果】
【０００５】常日頃から、便の状態を個人の感覚でなく、普遍的な基準の下で画像による管理を行なうことで、介護される人の便秘や下痢便の状態が重度になる前に手を打つことが可能になり苦しみを低減することができたり、介護者においても、重度の便秘や下痢の人が減ることにより、排便管理の面での労力が軽減される。【０００６】介護の現場だけでなく、医療の現場においても使用される可能性がある。また、大便だけでなく、尿の回数とか色等も体の状況の判断に使われる可能性がある。
【図面の簡単な説明】
【０００７】
【図１】ドアの前に搭載された指紋認証ボタン
【図２】便器に搭載された排便管理カメラ
【図３】転送され排便管理部門において管理された画像
【考案を実施するための形態】
【０００８】個室トイレのドアの前に、指紋認証ボタンを設けボタンを押して入ったところで、誰であるかを認証する。また、将来的には顔認証でも可能とする。
【０００９】ボタンを押して入った人が便座に腰掛けたと同時に、排便管理カメラが作動し排便の動画画像を撮影する。水洗ボタンを押した時撮影は終了する。
【００１０】排便の動画画像から最適な静止画像を選択し前記静止画像は排便管理部門に転送され、管理される。
【００１１】排便画像を撮影するカメラは、使用するごとに洗浄が行なわれる。
【符号の説明】
【００１２】１トイレドアの前に搭載された指紋認証ボタン
２便器に搭載された排便管理カメラ
３排便管理部門で管理された画像
【図１】
0003210435.tif 000003
【図２】
0003210435.tif 000004
【図３】
0003210435.tif 000005
(57)【要約】      （修正有）【課題】道路脇等に設置される立看板を、道路標識柱などの固定構造物に簡単に、また、強固に固定でき、小型軽量で持ち運びも簡単な、立看板固定装置を提供する。【解決手段】固定装置は、立看板の横枠に係止できる形状のフック部３ａ，３ｂが一端に形成された一対の係止金具３Ａ，３Ｂと、係止金具を通す孔を両端に設け中央部２ａを三角に形成された平板金具２と、係止金具を締め付けたり緩めたりするナット４を備える。立看板の横枠６と板面７の間に、係止金具のフック部を差し込み、平板金具の孔にそれぞれ係止金具を通して、ナットを締め付ければ、立看板を固定構造物８に固定できる。【選択図】図５
0003210432.tif 000002
【実用新案登録請求の範囲】
【請求項１】
立看板の横枠に係止できる形状のフック部が一端に形成された一対の係止金具と、この係止金具を通す孔を両端に設け、中央部を三角に形成した平板金具と、該係止金具を締め付けたり緩めたりするナットを備えた、道路脇などに設置される立看板を、道路標識柱などの固定構造物に、強固にまた簡単に固定するための立看板固定装置。
【請求項２】
道路標識柱などの固定構造物に当接する、平板金具の中央部を三角の形状に形成することにより、道路脇上の固定構造物の種類により、その径が違っても、立看板を固定できる請求項１記載の立看板固定装置。
【請求項３】
道路標識柱などの固定構造物に当接する、平板金具の中央部を三角の形状に形成することにより、円柱と平板金具の接する箇所が２箇所となることにより、立看板が外力により回転することを抑止することができる請求項１記載の立看板固定装置。
【考案の詳細な説明】
【技術分野】
【０００１】本考案は、道路脇等に設置される立看板を道路標識柱などの固定構造物に簡単に、また、強固に固定でき、小型軽量で持ち運びも簡単な、固定装置に関するものである。
【背景技術】
【０００２】工事看板や冬季の注意看板の設置が長期になる場合は、風で倒れたり飛ばされたりしないように、道路標識柱などの固定構造物に、立看板を番線で縛り付けることが一般に行われており、固定作業や撤去作業にはかなりの手間が必要となる。また撤去時には、切断した番線の廃棄処分も生じた。
【先行技術文献】
【０００３】
【特許文献１】実用新案登録第３０７４７８５号  公報
【０００４】
【特許文献２】特開２００１−１６６６９７  公報
【考案の概要】
【考案が解決しようとする課題】
【０００５】本考案が解決しようとする課題は、従来のこれらの問題点を解消し、道路標識柱などがある場所での、立看板を強固に固定でき、また、固定作業や撤去作業も容易で、小型軽量で持ち運びも簡単な、立看板固定装置を提供することにある。
【課題を解決するための手段】
【０００６】本考案の装置１は、立看板５の横枠６に、係止できる形状のフック部３ａ，３ｂが一端に形成された一対の係止金具３Ａ，３Ｂと、この係止金具３Ａ，３Ｂを通す孔２ｂ，２ｃを両端に設け中央部２ａを三角に形成された平板金具２と、係止金具３Ａ，３Ｂを締め付けたり緩めたりするナット４を備えた構成により、道路標識柱など８に立看板５を当接し、立看板５の横枠６と板面７の間に、係止金具３Ａ，３Ｂのフック部３ａ，３ｂを差し込み、平板金具２の孔２ｂ，２ｃに、それぞれ係止金具３Ａ，３Ｂを通して、中央部２ａを道路標識柱など８に当接し、ナット４を締め付ければ、立看板５は道路標識柱などの固定構造物８に確実に固定される。
【考案の効果】
【０００７】本考案の立看板固定装置は、道路上の道路標識柱などの固定構造物がある場所において、立看板の固定が簡単に、また、強固に行える。この構造であれば、小型で軽量のため持ち運びが簡単であり、番線を使用しないので容易に固定及び撤去作業ができる。また、番線を使用しないので撤去時に切断した番線の廃棄処分も生じない。
【図面の簡単な説明】
【０００８】
【図１】装置全体の斜視図である。
【図２】装置全体の平面図である。
【図３】装置全体の側面図である。
【図４】平板金具の正面図である。
【図５】実施例の使用状態を示す斜視図である。
【考案を実施するための形態】
【０００９】以下、図示の実施の一例について説明する。図１に示すように、一対の係止金具３Ａ，３Ｂは、寸切りボルトに板状のフック部３ａ，３ｂを溶接して一体にしたものである。また、平板金具２は、係止金具３Ａ，３Ｂを通す孔２ｂ，２ｃを両端に設け、中央部２ａを三角に形成したものである。中央部２ａを三角の形状に形成することにより、道路上の固定構造物の種類によりその径が違っても、平板金具２を固定構造物に当接できる。
【００１０】図５は、この考案の立看板固定装置１の使用状態を示すものである。立看板５を道路標識柱など８に当接し、係止金具３Ａ，３Ｂのフック部３ａ，３ｂを立看板５の横枠６と板面７の間に差し込み、平板金具２の孔２ｂ，２ｃに係止金具３Ａ，３Ｂを通して、中央部２ａを道路標識柱など８に当接し、係止金具３Ａ，３Ｂにナット４をねじ込み、ナット４を充電式インパクトドライバなどで締め付けることにより、立看板５は道路標識柱などの固定構造物８に確実に固定される。
【符号の説明】
【００１１】１            立看板固定装置
２            平板金具
２ａ          平板金具の中央部
２ｂ，２ｃ    平板金具の孔
３Ａ，３Ｂ    係止金具
３ａ，３ｂ    係止金具のフック部
４            ナット
５            立看板
６            立看板の横枠
７            立看板の板面
８            道路標識柱などの固定構造物
【図１】
0003210432.tif 000003
【図２】
0003210432.tif 000004
【図３】
0003210432.tif 000005
【図４】
0003210432.tif 000006
【図５】
0003210432.tif 000007
(57)【要約】      （修正有）【課題】各種の患者の様態に治療効果が期待できる低周波パルスを通電して治療するための低周波発生装置を提供する。【解決手段】電気的低周波発生装置の周波数を低い周波数から始めて１０Ｈｚから５０００Ｈｚの間を周波数を１Ｈｚから５０Ｈｚの間隔で変化させる場合及び高い周波数から始めて５０００Ｈｚから１０Ｈｚの間を周波数を１Ｈｚから５０Ｈｚの間隔で変化させる場合で一つの周波数を０・５秒間から１０秒間発生する。【選択図】図１
0003210408.tif 000002
【実用新案登録請求の範囲】
【請求項１】
低周波治療器のパルスの周波数を１０Ｈｚから５０００Ｈｚの間を１Ｈｚから５０Ｈｚの間隔で変化させ０・５秒から１０秒の間隔で連続して発生する低周波治療器。変化の方向は周波数の低いほうから、高いほうへ  または逆方向にスイープする。
【考案の詳細な説明】
【技術分野】
【０００１】この考案は低周波治療器の周波数の発生の方法に関する。
【背景技術】
【０００２】従来の低周波治療器は低周波発生器で１０Ｈｚから５０００Ｈｚのパルスを発生して電導性のパットを人体に接触して、一定の周波数（例えば２０Ｈｚ）を一定時間通電したり患者の様態によって周波数を変えたり、組み合わせ式（例えば２０Ｈｚを２分、１００Ｈｚを２分．．．）のものなどがあった。
【考案の概要】
【０００３】低周波治療はどの周波数が効果が高いか判明していないのが現状である。
本発明は１０Ｈｚから５０００Ｈｚを連続変化（スイープ）して発生することで全周波数の低周波パルスを人体に通電して治療するものである。各種の患者の様態に治療効果が期待できるものである。
【考案品の実施形態】
【０００４】１例として一般の低周波治療器から
１０Ｈｚ、２０Ｈｚ、３０Ｈｚ．．．．．．１５００Ｈｚ（１０Ｈｚ間隔に１５０種類の周波数）を各周波数を１秒間隔で１５０秒間発信する。これを１クールとして５回繰り返す。
0003210408.tif 000003
【手続補正書】
【提出日】平成29年2月21日(2017.2.21)
【手続補正１】
【補正対象書類名】実用新案登録請求の範囲
【補正対象項目名】全文
【補正方法】変更
【補正の内容】
【実用新案登録請求の範囲】
【請求項１】
電気的低周波発生装置の周波数を低い周波数から始めて１０Ｈｚから５０００Ｈｚの間を周波数を１Ｈｚから５０Ｈｚの間隔で変化させる場合及び高い周波数から始めて５０００Ｈｚから１０Ｈｚの間を周波数を１Ｈｚから５０Ｈｚの間隔で変化させる場合で一つの周波数を０・５秒間から１０秒間発生することを特徴とする低周波発生装置
【手続補正２】
【補正対象書類名】明細書
【補正対象項目名】全文
【補正方法】変更
【補正の内容】
【考案の詳細な説明】
【技術分野】
【０００１】この考案は低周波治療器の周波数の発生の方法に関する。【０００２】一般に血行の改善や筋肉の凝りの改善などに使用する低周波治療器は［図１］に示すように電気的低周波の発生装置（１）と発生した低周波パルスを通電する電線及び人体に貼って通電する導電性シリコンゴムなどで出来た２枚の通電パッド（２）で構成される。
従来の低周波治療器は低周波発生器で１０Ｈｚから５０００Ｈｚのどれかのパルスを発生して電導性のパットを人体に接触して、一定の周波数（例えば２０Ｈｚ）を一定時間通電したり患者の様態によって周波数を変えたり、組み合わせ式（例えば２０Ｈｚを５分、１００Ｈｚを５分２００Ｈｚを５分）のものなどがあった。
【考案の概要】
【０００３】本発明は１０Ｈｚから５０００Ｈｚを連続変化（スイープ）して発生することで全周波数の低周波パルスを人体に通電して治療するものである。
各種の患者の様態に治療効果が期待できるものである。
尚低周波の波形は矩形波，ＳＩＮ波など波形は関係ない。
【考案品の実施形態】
【０００４】１例として
１０Ｈｚを１秒間、２０Ｈｚを１秒間、３０Ｈｚを１秒間．．．．．．５０００Ｈｚを１秒間、    のように（１０Ｈｚ間隔に５００種類の周波数を５００秒間（８分２０秒間）発生する）これを１クールとして２回繰り返す（治療時間１６分４０秒間の）低周波発生装置。
【図面の簡単な説明】
【０００５】
【図１】低周波発生装置  符号の説明  （１）電気的低周波発生装置の外観図  （２）電気的低周波を人体に通電する導体及び２枚の通電パッド
【手続補正３】
【補正対象書類名】図面
【補正対象項目名】全図
【補正方法】追加
【補正の内容】
【図１】
0003210408.tif 000004
(57)【要約】      （修正有）【課題】体にフィットして容易に取り付けることができる柔軟な構造の発熱部を持った電気式カイロを提供する。【解決手段】電源と発熱部を分けてコネクタ１で接続する構造の電気式カイロであり、細長い形状の発熱部４を備え、発熱部は、柔軟な材料からなる電熱線と、電熱線の周囲を被覆する柔軟な材料からなる絶縁体と、からなる。柔軟に曲がる材質のため、体の曲線にフィットすることができる。首などに巻きつけることができ、体への取り付けが容易にできる。【選択図】図１
0003210406.tif 000002
【実用新案登録請求の範囲】
【請求項１】
形状が細長く、柔軟に曲げることができる発熱部を有する電気式カイロ。
【請求項２】
発熱部の先端にワニ口クリップの様な形状の固定器具を設けることで、衣服等に容易に取り付けることができる電気式カイロ。
【請求項３】
形状が細長く、柔軟に曲げることができ、かつ形状を維持する機能を持った発熱部を有する電気式カイロ。
【考案の詳細な説明】
【技術分野】
【０００１】  この考案は、携帯できる電気式カイロなどに関するものである。
【背景技術】
【０００２】  携帯できる電気式カイロの多くは、ポケットに入れて使用するか、握ることで体に熱を伝えている。電気式カイロを体に密着させるためには、専用のベルトなどの器具を必要とする。
その他には、手袋やひざ掛けなどの防寒具に発熱部を仕込んだ電気式カイロがある。
【考案の開示】
【考案が解決しようとする課題】
【０００３】  次のような問題がある。
（イ）握ることで体に熱を伝える電気式カイロは、使用の都度、手作業を一時止める必要がある。
（ロ）電気式カイロを、体に固定するために、専用器具による取付けは面倒である。
（ハ）電機式カイロを備えた防寒用衣類は、デザイン、色、柄などの点で気に入る物がないことがある。
【課題を解決するための手段】
【０００４】  柔軟に曲げることができる細長い形状の発熱部を有する電気式カイロを提供する。
【考案の効果】
【０００５】  柔軟に曲がる形状のため、体に巻きつけて使用する事ができる、例えば、首に巻く事で両手は別の作業を行うことができる。電熱部は、細長くコード状の形態のため場所を取らない。よって、その上に自分の好みの上着やマフラーなどを着用することができる。
【考案を実施するための最良の形態】
【０００６】  図１に示す通り、本考案の発熱部が柔軟に曲がる電気式カイロの構成は、コネクタ部１、操作部２、ケーブル３−１と３−２、発熱部４からなる。【０００７】  コネクタ部１は、発熱部に電気を供給する電池や電源に接続するためのコネクタである。形状は電源にあわせて交換または、変換コネクタを接続する。例えば、ＵＳＢ電源に接続可能なコネクタ形状であったり、車内のシガーソケットに接続できる形状であったり、電源にあわせて形状を変更できる。操作部２は、電源ＯＮ／ＯＦＦを切り替えるスイッチと発熱部で発生する温度の高い／低いを切り替えるスイッチ等を有している。コネクタ部１と操作部２を接続するケーブル３−１、操作部２と発熱部４をつなぐケーブル３−２が接続されている。【０００８】  発熱部４の形状は、細長く、電熱線４−１、絶縁体４−２で構成される。電熱線４−１は巻き線または、複数本の電熱線で構成される。【０００９】  発熱部４は、電熱線４−１と絶縁体４−２で構成されており、いずれの材料も硬くないため、柔軟に曲げることができる。この柔軟に曲げられることを活かして、体の曲線にフィットし、電熱線４−１から発生する熱を効率的に体に伝えることができる。また、発熱部４の先端にワニ口クリップの様な固定器具５をつけることで、発熱部４の先端を衣服等に固定することができる。これにより発熱部４の先端のバタつきや、発熱部４の脱落を防ぐことができる。【００１０】  自在に曲げることができ、その形状を保つことができる針金のようなワイヤー６を発熱部４に入れることにより、発熱部４の形状を柔軟に変化することができ、更に形状を固定することができる。例えば、発熱部４を円形にして、首にはめ込むことで、固定器具５を使用することなく、発熱部４を首に設置することができる。
【図面の簡単な説明】
【００１１】
【図１】本考案の斜視図
【図２】発熱部４の構成図
【図３】発熱部４の使用例
【図４】発熱部４の構成図（ワイヤ６を組み込んだ時）
【図５】発熱部４の使用例（ワイヤ６を組み込んだ時）
【符号の説明】
【００１２】１  コネクタ部
２  操作部
３−１  ケーブル
３−２  ケーブル
４  発熱部
４−１  電熱線
４−２  絶縁体
５  固定器具
６  ワイヤ
【図１】
0003210406.tif 000003
【図２】
0003210406.tif 000004
【図３】
0003210406.tif 000005
【図４】
0003210406.tif 000006
【図５】
0003210406.tif 000007
【手続補正書】
【提出日】平成29年2月16日(2017.2.16)
【手続補正１】
【補正対象書類名】実用新案登録請求の範囲
【補正対象項目名】全文
【補正方法】変更
【補正の内容】
【実用新案登録請求の範囲】
【請求項１】
細長い形状の発熱部を備え、前記発熱部は、柔軟な材料からなる電熱線と、前記電熱線の周囲を被覆する柔軟な材料からなる絶縁体と、からなる電気式カイロ。
【請求項２】
前記発熱部の先端にワニ口クリップの様な形状の固定器具を設けることで、衣服に容易に取り付けることができる請求項１記載の電気式カイロ。
【請求項３】
前記発熱部が、前記絶縁体内で前記電熱線に並設されるワイヤーをさらに備える請求項１又は２記載の電気式カイロ。
(57)【要約】      （修正有）【課題】柔軟素材の充填部分を持つことにより視覚及び触感に変化を持たせた携帯電話カバーを提供する。【解決手段】カバー表面の一部あるいは全部に柔軟素材２を充填した部分１を持つことにより視覚及び触感の変化を得ることができる。【選択図】図１
0003213818.tif 000002
【実用新案登録請求の範囲】
【請求項１】
柔軟な素材を表面一部ないし全部に充填することを特徴とする携帯電話カバー。
【請求項２】
柔軟な素材を本体表面の一部分に充填し視覚的変化ないしは触感的変化、あるいはその両方を有することを特徴とする携帯電話カバー。
【考案の詳細な説明】
【技術分野】
【０００１】  本考案は、携帯電話（スマートフォンを含む）に被せることのできるカバーに関するものである。
【背景技術】
【０００２】  携帯電話に被せることのできるカバーが存在する。これらは書籍表紙様の構造を持ち内側に携帯電話を固定することにより携帯電話を覆うことができる。
これにより携帯電話本体の衝撃や擦過傷よりの保護、携帯電話背面への指紋、手脂等の付着防止等主な目的とするがをこれらカバーは表面に印刷等で意匠を施すことが可能であり、意匠による装飾も目的とする。
【考案の概要】
【考案が解決しようとする課題】
【０００３】  携帯電話用カバー表面には印刷等が施され、意匠の追加及び装飾を行うことが可能である。これらは平面的なものであり、カバー表面に起伏をつけ立体感を表現することができなかった。
【課題を解決するための手段】
【０００４】  本考案におけるカバーは、薄板状の内側構造材とこれを覆う伸縮性のある外側構造材の間隙一部または全部に金型を用い任意の形状に柔軟な素材を内外構造材に挟まれる様に充填し、立体的な構造を表面に形成する。【０００５】  充填する柔軟素材にはゲル、スポンジ、液体などが利用できる。
【考案の効果】
【０００６】  カバー本体に柔軟素材充填部を有することにより視覚および触感の変化を実現できる。【０００７】  カバー表面の素材に印刷を施すことにより視覚的変化を実現できる。【０００８】  前記柔軟素材充填部の位置および形状、表面への印刷により例えば人体の胸部、果物、機器操作部分などを模擬的に再現することができる。【０００９】  表面に柔軟な素材が充填してあるため、落下時の衝撃の吸収が期待できる。
【図面の簡単な説明】
【００１０】
【図１】本考案の柔軟素材充填部を持つ携帯電話カバーの正面図である。
【図２】本考案の柔軟素材充填部を持つ携帯電話カバーの側面図である。
【図３】本考案の柔軟素材充填部を以って人体胸部をを表現した携帯電話カバーの正面図である。
【図４】本考案の柔軟素材充填部を以って機器操作部分を表現した携帯電話カバーの正面図である。
【図５】本考案の柔軟素材充填部をを持つ携帯電話カバーの構造展開図である。
【考案を実施するための形態】
【００１１】    カバー本体を校正する内側構造材と外側構造材との間に製造時任意の形状のに成型した柔軟素材を、内側外側構造材を辺縁部にあっては縫製や接着、他部分を接着により互いに固定する。外側構造材は伸縮性のある布類やゴムシート様の素材であり、柔軟素材の表面に密着しカバー本体表面に凸部分形状を形成する。柔軟素材は内側構造体および外側構造体のいづれかあるいは両方と、両構造体同士の固定に供される接着剤によって同様に固定されるカ。バー以外の部分を本体内部には粘着性により携帯電話（スマートフォンを含む）を保持する能力あるいは各個の携帯電話の形状に対応した部品があり、携帯電話（スマートフォンを含む）を本考案カバーと結合保持する。
【符号の説明】
【００１２】１    柔軟素材充填部
２    柔軟素材
３    内側構造材
４    外側構造材
【図１】
0003213818.tif 000003
【図２】
0003213818.tif 000004
【図３】
0003213818.tif 000005
【図４】
0003213818.tif 000006
【図５】
0003213818.tif 000007
(57)【要約】      （修正有）【課題】縫い針の糸通しを提供する。【解決手段】薄い弾性のある２枚の鉄板と、フックとを備え、２枚の鉄板でフックを挟み、２枚の鉄板を互いに離れる方向に折り曲げてガイドを形成した。２枚の鉄板の互いに離れた先端に切れ目を形成した。針の目穴にフックの部分を通す事で糸を通す。【選択図】図１
0003213838.tif 000002
【実用新案登録請求の範囲】
【請求項１】
薄い弾性のある２枚の鉄板と、フックとを備えた糸通しであって、
前記２枚の鉄板でフックを挟み、
前記２枚の鉄板を互いに離れる方向に折り曲げてガイドを形成したことを特徴とする糸通し。
【請求項２】
前記２枚の鉄板の互いに離れた先端に切れ目を形成したことを特徴とする請求項１に記載の糸通し。
【考案の詳細な説明】
【技術分野】
【０００１】  本考案は、一般に縫い針の目穴に糸を通す物に関するものである。
【背景技術】
【０００２】  従来の糸通しは、複雑で初めにこの装置の先端部分を針の目穴に通してから、
その先端部分に糸を通してから、針の目穴に糸をすと言った物もある。（例えば、特許文献１参照）
【先行技術文献】
【特許文献】
【０００３】
【特許文献１】特開２０１２−１３９４３０
【考案の概要】
【考案が解決しようとする課題】
【０００４】  従来の縫い針の目穴に糸を通す作業は、片手に針を、そうしてもう片手の指で糸の先端をつまんで、針の目穴に通していく事が一般的である。【０００５】  先端部分を鋼線で作ったＶ形の装置も、細い針の目穴に通すには困難である。【０００６】  本考案は、このような従来の構成が有していた問題を解決しようとするものである。
【課題を解決するための手段】
【０００７】  上記目的を達成する本考案の糸通し方法は、薄い弾性のある鉄板（図５−２、５−３）の２枚でフック（図５−４）（形状記憶合金製）を挟むように作った装置は、針等に当てた時に、この２枚の鉄板がガイドとなって、ちょうどフックが針の目穴の位置と合う。【０００８】  装置全体を前後に動かす事で針の目穴にフックが合い、そこで軽く下に押す事で針の目穴にフックを通す事が出来る。【０００９】  針の目穴にフックが通った後で、鉄板の切れ目Ｂ（図２の２−１）に糸を押し込むように入れて、針をフックから上の方向に引き抜く事で糸が針目を通る。
【考案の効果】
【００１０】  針の目穴に通すフックの部分を２枚の薄い鉄板でガイドを作る事で、目的の作業が楽になおかつ早く出来る。【００１１】  目の悪い方や、歳をとるごとに目だけでなく手ぶれも気になる、そこでこの装置が手助けになる。
【図面の簡単な説明】
【００１２】
【図１】本考案の本体の真上からと正面から見た図。
【図２】本体の薄い２枚の鉄板とフックで構成された断面図。
【図３】本体の真横からの図。
【図４】４−１〜４−３使い方の流れを示す。
【図５】装置の主なパーツ。
【考案を実施するための形能】
【００１３】  フックの部分を２枚の薄い鉄板でガイドを作る事で針がフックの位置に誘導され、針の目穴にフックがすむうずに通る、そうして鉄板の切れ目に糸を入れてから、針をフックからぬく事で糸がフックに引っかかり、同時に糸が針の目穴を通る。
【実施例】
【００１４】  以下、添付図面に従って一実施例を説明する。図１は図５（５−１〜５−４）のパーツを溶接なりで組み立てた物。【００１５】  作業の流れは図４で示す用に初めにフックに針の目穴を通してから、鉄板の切れ目に糸を入れ、フックから針を抜くときに糸がそこに引っかかり目的の達成となる。
【符号の説明】
【００１６】  図１本体の真上からと正面。
図２フックとガイドとなる鉄板の断面図。
【図１】
0003213838.tif 000003
【図２】
0003213838.tif 000004
【図３】
0003213838.tif 000005
【図４】
0003213838.tif 000006
【図５】
0003213838.tif 000007
(57)【要約】【課題】有害鳥獣が近付いた時を狙って、発砲音を鳴らしたり、レーザー光線を照射したりして効果的、効率的に威嚇し追い払う装置の提供。【解決手段】有害鳥獣が出没する地域全体を見渡せる位置にカメラ１を設置し、決められた時間帯に出没する鳥獣や人間の映像を記録し、映像記録を有害鳥獣の生態情報を搭載した人工知能２に送りつづけ、前記映像記録が送られた人工知能２では映像記録が有害鳥獣か否かを判断し有害鳥獣と認識された場合、発砲音、レーザー光線、猛獣の鳴声等の威嚇刺激を有する威嚇装置３に発動を司令し有害鳥獣を追い払う。【選択図】図１
0003213836.tif 000002
【実用新案登録請求の範囲】
【請求項１】
有害鳥獣が出没する地域全体を見渡せる位置にカメラを設置し、決められた時間帯に出没する鳥獣や人間の映像を記録し、映像記録を有害鳥獣の生態情報を搭載した人工知能に送りつづけ、前記映像記録が送られた人工知能では映像記録が有害鳥獣か否かを判断し有害鳥獣と認識された場合、発砲音、レーザー光線、猛獣の鳴声等の威嚇刺激を有する威嚇装置に発動を司令し、威嚇刺激を有害鳥獣に与え追い払うことを特徴とする有害鳥獣追い払い装置。
【考案の詳細な説明】
【技術分野】
【０００１】本考案は、いのしし、鹿、猿、からす等の有害鳥獣から農作物を守る威嚇装置に関するものである。
【背景技術】
【０００２】従来、有害鳥獣に対して電気柵、発砲音、レーザー光線等を使って寄せつけないようにしたり、威嚇して追い払うことは広くおこなわれてきた。それらは、有害鳥獣が近付いても、近付かなくても、関知せず、常時設置されたり、人が見張っていて威嚇したりするものであった。
【考案の概要】
【考案が解決しようとする課題】
【０００３】有害鳥獣が近付いた時を狙って、発砲音を鳴らしたり、レーザー光線を照射したりして効果的、効率的に威嚇し追い払う装置の提供。
【課題を解決するための手段】
【０００４】田や畑全体を見渡せる位置にカメラを１台から必要に応じて複数台設置し、田や畑に侵入する鳥獣、人間の映像を２４時間若しくは、夜間等決められた時間帯記録しつづける。【０００５】予め有害鳥獣の動きを動物ごと、鳥類ごとに分類し、姿形、行動パターン、動き等の生態情報を入力した人工知能にカメラはつながっており、カメラからの映像を解析し人間や犬、猫ではなく有害鳥獣と判断された時、次の威嚇装置の発動につながる。【０００６】威嚇装置には、発砲音、猛獣の鳴声、レーザー光線、電気刺激、猛獣の匂い等多種類の威嚇刺激が搭載され、漫然と一種類の刺激を発動し慣れさせるの防ぐように人口知能自身がサイクルを変え発動するものとする。
【考案の効果】
【０００７】漫然と発動する、発砲等の威嚇装置に比べ、有害鳥獣が現われた時を狙ってピンポイントで発動するので、装置の維持にかかる費用を長期的には節約できる。【０００８】漫然と威嚇刺激を発動しつづけ、有害鳥獣の刺激に対する慣れを生じさせることを防ぎ、効果的に食糧から遠ざけ、有害鳥獣の数の適正化につながる。
【図面の簡単な説明】
【０００９】
【図１】カメラ、人工知能、威嚇装置の接続図
【考案を実施するための形態】
【００１０】有害鳥獣が出没する地域全体を見渡せる位置にカメラを設置し、２４時間若しくは夜間のみの時間帯に出没する有害鳥獣の映像を捉え、前記映像情報を人口知能に送り、人工知能が映像情報を解析し威嚇装置に司令を出し威嚇刺激を発動させ、有害鳥獣を追い払う。電源として、太陽光発電も考えられる。
【実施例】
【００１１】以下添付図に従って、一実施例を説明する。［図１］の１は、有害鳥獣の出没を監視するカメラであり映像を決められた時間帯記録しつづけ、、２の、人工知能に映像情報を送り続けている。２の人工知能には有害鳥獣の生態情報が搭載されていて、１のカメラ映像に記録された生態情報と比較、解析し、有害鳥獣と認知された場合３の威嚇装置を発動させる。４はそれぞれの機械を繋ぐ接続線または、無線ランである。
【符号の説明】
【００１２】１有害鳥獣監視カメラ
２人口知能
３威嚇刺激を出す装置
４接続線
【図１】
0003213836.tif 000003
(57)【要約】      （修正有）【課題】車椅子の左右のブレーキを連動させるアウター付ワイヤーの長さ調整をより効率的に行い、ブレーキユニットカバーを脱着する必要が無く、組立時間の大幅な短縮が可能で、同時にメンテナンス性も向上するワイヤーの長さ調整構造を提供する。【解決手段】アウター付ワイヤーｃのアウターを分割し、中央付近にアジャスターナットｇを設置し、そこを中央調整器ｆで接続し、アジャスターナットでブレーキワイヤーの長さ調整を行う構造とした。【選択図】図２
0003213839.tif 000002
【実用新案登録請求の範囲】
【請求項１】
車椅子の左右のブレーキを連動させる為、回転ドラムにてワイヤーを巻き取りながら連動させる構造に於いて、アウター付ワイヤーの中央付近にアジャスターナットを設置し中央調整器にて接続し、ワイヤーの長さ調整を可能とする構造。
【考案の詳細な説明】
【技術分野】
【０００１】  本考案は車椅子のブレーキに関する。
【背景技術】
【０００２】  従来、車椅子のブレーキシステムは左右独立したものであり、その結果片側をかけ忘れ、そこに要介護者が手を付き転倒に至る事故が多発していた。
一般に車椅子の利用者は筋力や骨格も弱く転倒事故により骨折等の重大な結果に至る場合も多い。
介護者が車椅子の操作をする場合、左右独立したブレーキでは操作の手間がかかり、特にトイレ等の狭い空間では片側しかブレーキを掛けられない場合もある。
要介護者にはそもそも片側しかブレーキ操作ができない人もいる。
本考案はこれらの問題を解決する為のものである。
実用新案登録第３２１０４１６号において左右のブレーキをアウター付ワイヤーで連動させる構造が提案されているが、左右のブレーキユニットカバー部にワイヤーのアジャスターナットが接続されており、このままだと、アジャスターナットの一方がブレーキユニットカバー内部にあるため、取付時のワイヤーの遊び調整やメンテナンス時の遊び調整時にはブレーキユニットカバーを取り外す必要があり不便であった。
本考案は特にこれを解決する為のものである。
【先行技術文献】
【特許文献】
【０００３】
【特許文献１】実用新案登録第３２１０４１６号
【考案の概要】
【考案が解決しようとする課題】
【０００４】  実用新案登録第３２１０４１６号に於いてブレーキワイヤーの長さ調整は遊びによる作動不良を無くす為の重要な要素である。
その上でブレーキワイヤーの長さ調整は左右それぞれのブレーキユニットカバー部分で行う構造となっているが、アジャスターナットの一方が内部にある為、ブレーキユニットカバーを本体から外さないと調整ができない。
同時に調整結果が適正かを判断する為にはブレーキユニットカバーを装着する必要がある。
このことにより調整したものの適正でない場合も多く、何度もブレーキユニットカバーを脱着することも多く、組立上の大きな負担となっていた。
同時にメンテナンスにおいても同様な問題が発生していた。
【課題を解決するための手段】
【０００５】  アウター付ワイヤーのアウターを分割し、中央付近にアジャスターナットを設置し、そこを中央調整器で接続し、ここでブレーキワイヤーの長さ調整を行う構造とした。
【考案の効果】
【０００６】  アウター付ワイヤーの長さ調整は中央調整器部分で行う為、ブレーキユニットカバーを脱着する必要が無くなり、組立時間の大幅な短縮が可能となり、同時にメンテナンス性も向上した。
【図面の簡単な説明】
【０００７】
【図１】  本考案に関する車椅子連動ブレーキの実施例の全体像を示す。
【図２】  本考案に関する車椅子連動ブレーキの中央調整器の実施例を示す。
【図３】  本考案に関する車椅子連動ブレーキのアウター付ワイヤーと中央調整器の実施例を示す。
【考案を実施するための形態】
【０００８】  以下本考案に関わる車椅子連動ブレーキの実施の形態を図面に従って説明する。
［図１］において、車椅子ａの左右にブレーキユニットカバーｅを有し、アウター付ワイヤーｃ及びアウター付ワイヤーｄで襷掛け連結することにより、左右のブレーキハンドルｂが連動する構造となっている。
［図２］において、ブレーキハンドルｂに連結された回転ドラムｈにアウター付ワイヤーｃ、及びアウター付ワイヤーｄが襷掛け連結された状態を示す。
また中央調整器ｆはアウター付ワイヤーｃ、ｄの中央付近に配置され、アジャスターナットｇにて長さ調整が可能な構造となっている。
［図３］において、アウター付ワイヤーｃ、ｄのアウターを分割し中央付近にアジャスターナットｇを設置し、中央調整器ｆにて接続された状態を示す。
【実施例】
【０００９】  車椅子の左右のブレーキユニット内部にブレーキハンドルと連結した回転可能なドラムを有し、左右のブレーキユニットをアウター付ワイヤーにて襷掛け連結させた［図１］の様な構造のブレーキシステムに於いてアウター付ワイヤーの長さ調整の為の中央調整器ｆを取り付けた構造。
【産業上の利用可能性】
【００１０】  車椅子のブレーキシステム全般に関する。
【符号の説明】
【００１１】ａ    車椅子
ｂ    ブレーキハンドル
ｃ    アウター付ワイヤー
ｄ    アウター付ワイヤー
ｅ    ブレーキユニットカバー
ｆ    中央調整器
ｇ    アジャスターナット
ｈ    回転ドラム
ｉ    ブレーキ
【図１】
0003213839.tif 000003
【図２】
0003213839.tif 000004
【図３】
0003213839.tif 000005
(57)【要約】      （修正有）【課題】簡単な構造で布地本来の色や見た目を損なうことのない布地を装飾体とした装身具を提供する。【解決手段】装身具は、装身具の基台１と、基台１の上に接着したシート状の下側樹脂２と、下側樹脂２上に接着した布地３と、布地３上に接着したシート状の上側樹脂４と、布地３の基台１に対し垂直な面を覆う側面樹脂材５と、上側樹脂４上に透明樹脂層６を設けるようになっている。【選択図】図２
0003213840.tif 000002
【実用新案登録請求の範囲】
【請求項１】
布地を装飾体とした装身具において、
装身具の基台と、前記基台の上に接着したシート状の下側樹脂と、前記下側樹脂上に接着した布地と、前記布地上に接着したシート状の上側樹脂と、前記布地の前記基台に対し垂直な面を覆う側面樹脂材と、前記上側樹脂上に透明樹脂層を設けたことを特徴とする布地を装飾体とした装身具。
【請求項２】
請求項１記載の上側樹脂層と透明樹脂層の間に、平坦化樹脂層を設けたことを特徴とする布地を装飾体とした装身具。
【考案の詳細な説明】
【技術分野】
【０００１】  本考案は布地を装飾体とした装身具に関する。
【背景技術】
【０００２】  従来、この種の装身具は特許文献１のように基台に樹脂塗料を染み込ませてシート状に形状保持が可能な状態に固められた布地を基台に接着し、その布地を覆う透明樹脂層から形成されるようになっていた。
【先行技術文献】
【０００３】
【特許文献】
【特許文献】特開２０００−１２５９１２号公報
【考案の概要】
【考案が解決しようとする課題】
【０００４】  上記の特許文献１記載の布地を装飾体とした装身具はあらかじめ布地に樹脂塗料を染み込ませるようになっており、布地本来の持つ色や見た目が損なわれ、黒ずんだものになるという課題がある。【０００５】  本考案はこのような課題に鑑みてなされたものであり、簡単な構造で布地本来の色や見た目を損なうことない布地を装飾体とした装身具を提供することを目的とする。
【課題を解決するための手段】
【０００６】  上記課題を解決するため、本考案に係る布地を装飾体とした装身具は、装身具の基台と、前記基台の上に接着したシート状の下側樹脂と、前記下側樹脂上に接着した布地と、前記布地上に接着したシート状の上側樹脂と、前記布地の前記基台に対し垂直な面を覆う側面樹脂材と、前記上側樹脂上に透明樹脂層を設けるようになっている。【０００７】  また、本考案に係る布地を装飾体とした装身具は、上側樹脂層と透明樹脂層の間に、平坦化樹脂層を設けるようにとなっている。
【考案の効果】
【０００８】  本考案の布地を装飾体とした装身具は、装身具の基台と、前記基台の上に接着したシート状の下側樹脂と、前記下側樹脂上に接着した布地と、前記布地上に接着したシート状の上側樹脂と、前記布地の前記基台に対し垂直な面を覆う側面樹脂材と、前記上側樹脂上に透明樹脂層を設けるようになっているので布地に樹脂が含侵することなく、布地本来の色や見た目を保有した状態で装身具とすることができる。
また、本考案に係る布地を装飾体とした装身具は上側樹脂層と透明樹脂層の間に、平坦化樹脂層を設けているので、布地の凹凸の影響で生じる上側樹脂層の凹凸および、透明樹脂層の凹凸を少なくでき、これらの凹凸で生じる光の乱反射を少なくでき、布地本来の色や表面形状などの見た目を鑑賞できる布地を装飾体とした装身具として提供できる利点がある。
【図面の簡単な説明】
【０００９】
【図１】本考案の１実施形態に係る布地を装飾体とした装身具の斜視図である。
【図２】本考案の１実施形態に係る布地を装飾体とした装身具の断面図である。
【図３】本考案の２実施形態に係る布地を装飾体とした装身具の断面図である。
【考案を実施するための形態】
【００１０】  以下、本考案の実施の形態について、図面を参照して説明する。図１は本考案の１実施形態に係る布地を装飾体とした装身具の斜視図で、図２は本考案の１実施形態に係る布地を装飾体とした装身具の断面図、図３は本考案の２実施形態に係る布地を装飾体とした装身具の断面図である。
【００１１】  図２に示すように本考案の１実施形態に係る布地を装飾体とした装身具は、装身具の基台１と、前記基台１の上に接着したシート状の下側樹脂２と、前記下側樹脂２上に接着した布地３と、前記布地３上に接着したシート状の上側樹脂４と、前記布地３の前記基台１に対し垂直な面を覆う側面樹脂材５と、前記上側樹脂４上に透明樹脂層６を設けるようにしている。なお、図２および図３の断面図では装飾品の外形枠１０は図示していない。また、布地としては小倉織、博多織、西陣織などの伝統的な織物の他、どのような繊維生地も利用することができる。また布地を装飾体とした装身具とは、指輪、ネックレス、ブレスレット、イヤリング、ブローチ、カフスボタン、ネクタイ止め、カラー止め、バッジ、髪飾り、かんざし、ヘアーバンド、帽章、ヘアーピン、装飾用鎖止め具などである。
【００１２】  本考案の１実施形態に係る布地を装飾体とした装身具は上述のように形成されているため、布地３は固形層を含む下側樹脂２および上側樹脂４と透明樹脂層６を形成する前に形成される側面樹脂層６で覆われ、透明樹脂層６を形成する段階では、透明樹脂層成分が布地６に浸透することなく透明樹脂層６を形成できるため、布地３の色合いを布地本来が保有するものから変化させることなく、透明樹脂層６下に形成することができる。
【００１３】  また、図３に示すように本考案の２実施形態に係る布地を装飾体とした装身具は、装身具の基台１と、前記基台１の上に接着したシート状の下側樹脂２と、前記下側樹脂２上に接着した布地３と、前記布地３上に接着したシート状の上側樹脂４と、前記布地３の前記基台１に対し垂直な面を覆う側面樹脂材５と、前記上側樹脂４上に平坦化樹脂層７を設けた上に透明樹脂層６を設けるようにしている。
【００１４】  本考案の２実施形態に係る布地を装飾体とした装身具は上述のように形成されているため、表面に凹凸を有する布地では、上側樹脂４を形成しても、上側樹脂４にも少なからず継承されている凹凸を上側樹脂４上に形成した平坦化樹脂層７で吸収し、平坦化樹脂層７の上部は凹凸がなくなるか、かなり少なくすることができ、このように平坦化した平坦化樹脂層７上に透明樹脂層６を形成しているために布地からの光の乱反射および散乱が少なく、布地の本来の色や姿を鑑賞できる布地を装飾体とした装身具を提供できる。
【００１５】  以上説明したように、本考案の布地を装飾体とした装身具を用いることで、布地の本来の姿を鑑賞できる布地を装飾体とした装身具を提供できる。
【符号の説明】１・・基台
２・・下側樹脂
３・・布地
４・・上側樹脂
５・・側面樹脂材
６・・透明樹脂層
７・・平坦化樹脂層
１０・・外側枠
【図１】
0003213840.tif 000003
【図２】
0003213840.tif 000004
【図３】
0003213840.tif 000005
(57)【要約】      （修正有）【課題】果物や根菜の皮表面を突起付糸状の刃で擦り、薄皮のみを剥ぎ取る突起付糸状の刃を有する薄皮剥ぎ取り具を提供する。【解決手段】軸体（１）の端部（２）と他単部（２’）が相対する様に曲げ、これらの端部（２）（２’）に突起を有する糸状の刃（３）を複数本張り渡したものであり、これで皮表面を擦り前記不純物を剥ぎ取り、更に振動発生部により刃（３）に振動を与えると剥ぎ取る効率が良くなる効果がある。【選択図】図１
0003213831.tif 000002
【実用新案登録請求の範囲】
【請求項１】
軸体（１）の両端（２）（２’）を相対させてこれに突起付糸状の刃（３）を複数本橋渡して固定した事を特徴とする突起付糸状の刃を有する薄皮剥ぎ取り具
【請求項２】
軸体（１）に振動発生部（５）を取り付けた事を特徴とする請求項１に記載の突起付糸状の刃を有する薄皮剥ぎ取り具
【考案の詳細な説明】
【技術分野】
【０００１】  本考案は、突起付糸状の刃を有する薄皮剥ぎ取り具に於いて、果物や根菜の皮表面を擦り、薄皮のみを剥ぎ取るところの突起付糸状の刃を有する薄皮剥ぎ取り具に関するものである。
【背景技術】
【０００２】  近年、多様な生活様式の食文化の中で果物や根菜等の皮の栄養素が見直され、皮ごと食する人々が多くなってきた。
【先行技術文献】
【特許文献】
【０００３】
【特許文献１】実用新案登録第３１８８９６５号
【特許文献２】特開２００５−３４４６８
【考案の概要】
【考案が解決しようとする課題】
【０００４】  皮表面には、洗っても落ち難いワックス、農薬及び腐蝕等が付着しているものもあり、これ等を剥ぎ取必要があり、先行技術文献特実用新案登録第３１８８９６５号及び特開２００５−３４４６８に示したものは従来のピーラーであり、これらは皮を厚く剥くものあり、本考案の様に皮表面の薄皮のみを剥ぎ取る事は不可能である。
【課題を解決するための手段】
【０００５】  突起付糸状刃を用いて皮表面を擦り、薄皮のみを剥ぎ取るものであり、更にこの糸状刃に振動を与えると剥ぎ取り易くなる。
【考案の効果】
【０００６】  皮を食するには、皮表面を洗っても落ち難いワックス、農薬及び腐蝕等が付着しているものを剥ぎ取必要があり、これでもって安全安心であり、更に皮表面の硬い薄皮を剥ぐと食べ易くなる。
【図面の簡単な説明】
【０００７】
【図１】本考案実施例の突起付糸状の刃を有する薄皮剥ぎ取り具の斜視図である。
【図２】本考案実施例の突起付糸状刃の一部分拡大斜視図である。
【図３】本考案実施例の振動部を有する突起付糸状の刃を有する薄皮剥ぎ取り具の斜視図である。
【考案を実施するための形態】
【０００８】  曲げた軸本体（１）、突起（４）を付けた糸状の刃（３）及び振動発生部（４）から構成するものである。
【実施例】
【０００９】  軸本体（１）の両端の端部（２）と他端部（２’）が相対する様に曲げ、これ等の端部（２）（２’）に突起（４）付の糸状刃（３）を複数本張り渡して固定したものである。【００１０】  軸本体（１）の曲げた処に振動発生部（５）を取り付けたものである。【００１１】  突起付刃に振動を与えると、薄皮を剥ぎ取る効率が上がり、振動の種類は機械的振動、音波振動、超音波振動及びこれ等を組合せた振動とする。
【産業上の利用可能性】
【００１２】  近年、多様な生活様式の食文化の中で果物や根菜等の皮の栄養素が見直され、皮ごと食する人々が多くなり、しかし皮表面には洗っても落ち難いワックス、農薬及び腐蝕等が付着しているものがありこれ等を剥ぎ取る必要があり、本考案は、、果物や根菜の皮表面を突起付糸状の刃で擦り、薄皮のみを剥ぎ取る突起付糸状の刃を有する薄皮剥ぎ取り具である。
【符号の説明】
【００１３】  （１）：軸本体  （２）（２’）：軸本体の両端部  （３）：糸状は  （４）：突起  （５）：振動発生部
【図１】
0003213831.tif 000003
【図２】
0003213831.tif 000004
【図３】
0003213831.tif 000005
(57)【要約】【課題】  仰向けに寝て、背中に突起が当たるように敷き、突起に体重圧がかかることにより、こりやつぼ・椎骨等に、指圧・押圧効果が得られる指圧器で、突起の位置と数、及びセットによっては形や材料の異なる突起を、自由に着脱・選択して使用できる自在突起指圧器セットを提供する。【課題を解決するための手段】  仰向けに寝て、背中側に突起３を当てて敷き、指圧・押圧効果を得る形態の指圧器において、表面に面ファスナーの雌面２を固定装着した台座１と、底面に面ファスナーの雄面４を固定装着した半球状、円丘状ないしは円錐状の突起３複数個を、セットにした自在突起指圧器セットである。  本考案を使用する時は、台座１に、一個ないしは複数個の突起３を、場合によっては異なった種類の突起３を、良く効果が出せるように配置して、面ファスナーで装着し、仰向けに寝て、背中側に突起３が当たるように敷いて使用する。【選択図】図１
0003213834.tif 000002
【実用新案登録請求の範囲】
【請求項１】
台座１および一種類ないしは多種類の突起３複数個を備える自在突起指圧器セットであって前記台座１はその片面又は両面に面ファスナーの雌面２を固定装着した長方形様の固体材料で作られたものであり前記突起３は平らな底面に面ファスナーの雄面４を固定装着した半球状ないしは円丘状ないしは円錐状の台座１と同様の固体材料で作られたものである自在突起指圧器セット。
【考案の詳細な説明】
【技術分野】
【０００１】  本考案は、仰向けに寝て、背中等に敷いて、押圧・指圧効果を得るための指圧器セットに関するものである。
【考案の概要】
【考案が解決しようとする課題】
【０００２】  仰向けに寝て、背中側に突起を当てて敷き、体重圧によって指圧・押圧効果を得る形態の指圧器において、突起の位置と数を変えて、及びセットによっては、複数種の突起も、台座に自由に選択着脱して使用できる、指圧器セットを作る。
【解決するための手段】
【０００３】（イ）  長方形様でプレート状の台座１の片面又は両面に、面ファスナーの雌面２を固定      装着する。
（ロ）  他方、形状が半球面状ないしは円丘状ないしは円錐状で、平らな底面を有する数      個の突起３の底面に、面ファスナーの雄面４を固定装着する。尚、この突起３は形      態や数を限定しない。
（ハ）  （イ）の台座１と（ロ）の複数個の突起３を合わせて、自在突起指圧器セットと      する。
（ニ）  この自在突起指圧器セットを使用する時は、台座１に一個ないし複数個の突起３      を、目的に合わせて、面ファスナーで着脱して、一ないし複数個の突起３を有する      指圧器として使用する。
【考案の効果】
【０００４】  目的に応じて、自由に突起３の数と位置・種類を選択して、指圧器として使用できるので、目指す効果が得やすく、多種類の指圧器を揃える必要がなく、又、誰が使用しても、突起３をより効果的に配置装着して使用できるので、大変便利である。且つ、通常、全突起３を、台座１に装着一体化して収納できる。
台座１の両面に、面ファスナーの雌面２が固定装着してあれば、両面突起指圧器としても使用できる。
スポンジ製・ゴム製などの突起３においては、椎骨・仙骨押圧にも使用できる。
突起３が劣化・損傷・喪失しても、新しいものに変えて使用することができる。
【図面の簡単な説明】
【０００５】
【図１】  本考案の見取り図（斜視図）である。
【図２】  本考案の、椎骨仙骨押圧器として使用する時の、突起３を上から見た時の配置図（平面図）の一例である。
【図３】  本考案を、４球突起指圧器とした時の突起３の配置図（平面図）の一例である。
【図４】  台座１に、大きめの突起３を一個装着した時の配置図（平面図）の一例である。
【符号の説明】
【０００６】１    台座
２    面ファスナー雌面
３    突起
４    面ファスナー雄面
【図１】
0003213834.tif 000003
【図２】
0003213834.tif 000004
【図３】
0003213834.tif 000005
【図４】
0003213834.tif 000006